(57)【特許請求の範囲】
【請求項１】
圃場の土壌を耕耘するロータリ耕耘部（１０）と、ロータリ耕耘部のロータリ軸（１１）に左右相対向して架設する一対の仕切円盤（２４）と、肥料を収容する施肥タンク（２１）と、施肥タンク（２１）内の肥料を左右の仕切円盤（２４，２４）間に散布する散布ノズル（２３）と、耕耘後の土壌を畝立て成形する畝成形板（１８）を備え、前記左右の仕切円盤（２４，２４）は複数のフィン（３２，３２）…の組み合わせからなり、左右の仕切円盤（２４，２４）の各フィン（３２，３２）は互いに対向側に向けて傾斜する構成とし、隣接する各フィン間には左右の仕切円盤（２４，２４）間に土導入可能な所定の隙間（３３）を確保してあることを特徴とする作業車両の散布装置。
【発明の詳細な説明】
【技術分野】
【０００１】
この発明は、畝を立てて栽培する作物列に沿って粒状や粉状の肥料や薬剤を帯状に散布する作業車両の散布装置に関し、農業機械の技術分野に属する。
【背景技術】
【０００２】
特許文献１には、左右の円盤（仕切り板）間に肥料を散布する装置が開示され、また、左右の円盤間には耕耘爪を介在する構成が示されている。
【特許文献１】特開２００５−６５５０号公報
【発明の開示】
【発明が解決しようとする課題】
【０００３】
肥料を土壌と共に撹拌する技術として、従来は、左右の円盤間に耕耘爪を介在させることによって撹拌するものであるため、構成が複雑となり、安価に実施することができない問題があった。
【０００４】
この発明は、耕耘爪の代わりに左右の仕切円盤（円盤）に工夫をこらして撹拌機能をもたらすようにし、上記問題点を解消せんとするものである。
【課題を解決するための手段】
【０００５】
この発明は、上記課題を解決すべく次のような技術的手段を講じた。
請求項１記載の本発明は、圃場の土壌を耕耘するロータリ耕耘部（１０）と、ロータリ耕耘部のロータリ軸（１１）に左右相対向して架設する一対の仕切円盤（２４）と、肥料を収容する施肥タンク（２１）と、施肥タンク（２１）内の肥料を左右の仕切円盤（２４，２４）間に散布する散布ノズル（２３）と、耕耘後の土壌を畝立て成形する畝成形板（１８）を備え、前記左右の仕切円盤（２４，２４）は複数のフィン（３２，３２）…の組み合わせからなり、左右の仕切円盤（２４，２４）の各フィン（３２，３２）は互いに対向側に向けて傾斜する構成とし、隣接する各フィン間には左右の仕切円盤（２４，２４）間に土導入可能な所定の隙間（３３）を確保してあることを特徴とする。
【０００６】
左右の仕切円盤（２４，２４）が数枚のフィン（３２，３２…）から構成されるので、撹拌機能がより効果的に行われる。各フィン（３２，３２…）との間には所定の隙間（３３）が確保されているので、その隙間から仕切円盤（２４，２４）の外側の土が入り易くなり、左右の仕切円盤間での土不足をなくすことができる。
【発明の効果】
【０００７】
請求項１の本発明によれば、左右の仕切円盤が複数のフィン（３２，３２…）から構成されるので、肥料の撹拌作用をより効果的に行うことができる。しかも、各フィンとの間には所定の隙間（３３）が確保されているので、その隙間から仕切円盤の外側の土が入り易くなり、左右の仕切円盤間での土不足問題を解消することができる。
【発明を実施するための最良の形態】
【０００８】
この発明の実施例を図面に基づき説明する。
図１は、作業車両の一例としてトラクタを示すものであり、この車体１の前部のボンネット２内にエンジンＥを搭載し、このエンジンＥの回転動力をミッションケ−ス３内の変速装置に伝え、この変速装置で減速された回転動力を前輪４と後輪５とに伝えるようにしている。操作ボックス６近くにステアリングハンドル７が装備され、その後方には運転席８が設置されている。
【０００９】
車体後部には圃場の土壌を耕耘するロータリ耕耘部（ロータリ耕耘装置）１０が車体１に対して昇降可能に装備されている。
ロータリ耕耘部１０には、ロータリ軸１１が回転自在に架設され、ロータリ軸の外周に多数の耕耘爪１２が放射状に突設されている。ロータリ耕耘部１０への回転動力は、トラクタのＰＴＯ軸から動力伝動ケース１３、チエンケース１４内の伝動系を介してロータリ軸１１に伝達され、ロータリ軸１１を所定方向に回転させて耕耘爪１２により圃場の土壌を耕耘するようになっている。
【００１０】
ロータリ耕耘部１０の後方には耕耘後の土壌を畝立て成形する畝成形板１８が耕耘部のロータリフレーム１９から突設する支持フレーム２０に着脱自在に取付られている。
また、ロータリ耕耘部１０の上方位置には肥料（又は薬剤）を収容する施肥タンク２１が設置され、施肥タンク２１の下部にはモータにより駆動される繰り出し部が設けられ、該繰り出し部に接続された施肥ホース２２の下端には散布ノズル２３が設けられている。
【００１１】
一方、ロータリ軸１１には、相対向する左右一対の円盤形状からなる仕切円盤２４が所定の間隔をあけて設けられ、ロータリ軸１１と一体的に回転するよう固着されている。そして、この仕切円盤２４，２４には、数箇所において撹拌機能をもたらす撹拌爪２５，２５…が切欠き屈曲形成して設けられている。
【００１２】
前記施肥ホース２２の散布ノズル２３は、左右の仕切円盤２４，２４間に臨ませてあり、施肥タンク２１から繰り出される肥料が施肥ホース２２内を落下し、散布ノズル２３より仕切円盤２４，２４間内へ導かれるようになっている。そして、この散布ノズル２３から吐出される肥料は、機体が前進することによって圃場面に帯状に散布されることになる。また、左右の仕切円盤２４，２４間に導入される肥料は、仕切円盤２４から突設する撹拌爪２５によって土壌と撹拌される。
【００１３】
仕切円盤２４，２４の間隔調節は、ロータリ軸１１に対する取付位置を軸方向に移動させて行うが、ロータリ軸に所定間隔置きに穿設した調節孔３０と調節ピン３１とによって行なえるようにし、作物の種類や作物の大きさ等の条件に応じて適宜に調節できる構成としている。
【００１４】
次に、第２実施例の仕切円盤の構成例について説明する。本例の仕切円盤２４は、図４に示すように、数枚のフィン３２，３２…を適宜組み合わせることによって成立ち、各フィン間に所定の隙間３３を確保し、且つ、各フィンが互いに対向側に向けて傾斜するよう構成して砕土の導入を可能にしている。これにより、フィン３２とフィン３２との間の隙間３３から外側の土が入りやすくなり、土を内側に寄せる効果と相俟って仕切円盤間内での土不足問題が解消できることになる。
【００１５】
なお、図６、図７に示すように、各フィン３２，３２…に撹拌爪２５を突設しておくと、撹拌効果を一層高めることができる。
また、図８に示す仕切円盤２４は、耕耘爪１２の強制回転とは別に自転回転させることができるようにロータリ軸１１に対しボールベアリング３４を介して軸受保持させている。つまり、仕切円盤を地面に接地させることで自転させ、これにより、駆動回転し埋込み性はやや劣るが、その効果を維持しつつ仕切円盤間での土詰まりを軽減できる。仕切円盤と耕耘爪が同回転では湿った土での作業時、仕切円盤間での土詰まりがおきやすくなるが、かかる問題点を解消することができる。
【００１６】
図９（イ）に示すように、小畝用帯状施肥構成においては、施肥位置の中心のズレはなくなるが、図９（ロ）に示すように幅広平畝においては、施肥位置の中心のズレが生じる。そのため、本例では、図１０に示すように、仕切円盤２４，２４の後方部にズレ防止板３８を設けることによって中心のズレを防止する構成としている。
【００１７】
また、図１１に示す実施例では、幅広平畝の対応策として、一対の畝成形板に対し数対の仕切円盤を設ける構成としている。例えば、玉ねぎは平畝４条移植が一般的であるが、一畝一対の仕切円盤では対応不可であるが、図１１に示すように一畝複数対の仕切円盤とすることで対応可能となる。
【図面の簡単な説明】
【００１８】
【図１】トラクタの側面図
【図２】同上要部の背面図
【図３】第１実施例の仕切円盤の斜視図
【図４】第２実施例の仕切円盤の背面図
【図５】同上仕切円盤の側面図
【図６】図５の仕切円盤とはフイン形状を変えた例を示す側面図
【図７】同上背面図
【図８】仕切円盤の軸受装置を示す断面図
【図９】ロータリ耕耘部の要部の平面図
【図１０】同上要部の平面図
【図１１】同上耕耘部の要部平面図
【符号の説明】
【００１９】
１０  ロータリ耕耘部  １１  ロータリ軸
１２  耕耘爪  １８  畝成形板
２１  施肥タンク  ２２  施肥ホース
２３  散布ノズル  ２４  仕切円盤
２５  撹拌爪  ３２  フイン
３３  隙間
【図１】
0004742788.tif 000002
【図２】
0004742788.tif 000003
【図３】
0004742788.tif 000004
【図４】
0004742788.tif 000005
【図５】
0004742788.tif 000006
【図６】
0004742788.tif 000007
【図７】
0004742788.tif 000008
【図８】
0004742788.tif 000009
【図９】
0004742788.tif 000010
【図１０】
0004742788.tif 000011
【図１１】
0004742788.tif 000012